(57)【要約】      （修正有）【課題】複数の飲料用ボトルを安定した状態で確実に支持できる飲料用ボトルの運搬器具を提供する。【解決手段】運搬器具１は、飲料用ボトルの頭部及び首部が挿通可能で首部の下部に係合して支持する係合孔１７ａ〜１７ｃと係合片１８ａ〜１８ｃからなる係合部を有するとともに、各係合部１７ａ〜１７ｃ、１８ａ〜１８ｃの上方にそれぞれ対向位置して飲料用ボトルの頭部及び首部が挿通する挿通孔２４ａ〜２４ｃを有する下段係合部９，１１，１３と、この下段係合部９，１１，１３に上下方向に間隔をおいて設けられ、各挿通孔２４ａ〜２４ｃと上下に対応位置して飲料用ボトルの頭部に係合して支持する挿通孔２６ａ〜２６ｃと係合爪２７ａ〜２７ｃからなる係合部を有する上段係合部５と、一対の取手部２，３とからなる。【選択図】図３
0003192852.tif 000002
【実用新案登録請求の範囲】
【請求項１】
飲料用ボトルの頭部及び首部が挿通可能で前記飲料用ボトルの首部の下部に係合して支持する係合部を複数有する下段係合部と、この下段係合部に上下方向に間隔をおいて設けられ、前記各係合部と上下に対応位置して飲料用ボトルの前記頭部に係合して支持する係合部を複数有する上段係合部と、この上段係合部から上方に延びる取手部とからなることを特徴とする飲料用ボトルの運搬器具。
【請求項２】
前記下段係合部は、各係合部が係合孔とその周縁に円弧状あるいはリング状に配置された複数の係合片からなり、前記各係合部の上方にはそれぞれ各係合部と対向位置して飲料用ボトルの頭部及び首部が挿通する挿通孔を有する一方、上段係合部の各係合部は挿通孔とその周縁に設けた係合爪からなり、前記取手部は一対で形成されることを特徴とする請求項１に記載の飲料用ボトルの運搬器具。
【請求項３】
前記下段係合部を破断して一面側を開口する切り用ミシン線を設けたことを特徴とする請求項２に記載の飲料用ボトルの運搬器具。
【請求項４】
前記下段係合部と前記上段係合部と前記一対の取手部は一枚のシートに折り線を介して設けられ、前記折り線で折り曲げて形成されるものであり、前記下段係合部は、天壁と前壁と底壁とを備え、接続部前壁を介して前記上段係合部と接続され、接続部後壁を介して前記一対の取手部の一方と接続され、前記底壁には係合部を設け、前記天壁には挿通孔を設ける一方、前記上段係合部は前記一対の取手部の他方と接続され、前記一対の取手部にはそれぞれ把持用孔を設けたことを特徴とする請求項２または請求項３に記載の飲料用ボトルの運搬器具。
【考案の詳細な説明】
【技術分野】
【０００１】
本考案は、飲料用ボトルを複数個吊り下げて運搬する飲料用ボトルの運搬器具に関し、特に、首部が比較的長い飲料用ボトルに適した運搬器具に関する。
【背景技術】
【０００２】
従来から、この種の運搬器具は知られているが、ボトルの支持は、ボトルの頭部に設けたフランジを運搬器具の側壁に設けた挿入穴の下縁で係止するのが一般的である。
【０００３】
例えば、取手板を２枚連設して折り重ね、各取手板にそれぞれ連設した外側板を斜め外側に折り曲げ、一方の外側板に順次連設した底板及び２枚の内側板を三角筒状に巻き込み、各外側板と内側板とを貼り合わせて側壁をなし、底板にボトルの首部挿入穴を設けるとともに、２枚の内側板の連設部及び外側板と取手板の連設部にボトルの頭部挿入穴を設け、この頭部挿入穴の下縁にボトルのフランジを係合させてボトルを保持するものである（特許文献１参照）。
【先行技術文献】
【特許文献】
【０００４】
【特許文献１】特開２００５―１７０４０７号公報
【考案の概要】
【考案が解決しようとする課題】
【０００５】
しかし、従来の飲料用ボトルの運搬器具は、頭部挿入穴の下縁にボトルのフランジを係合させてボトルを支持するものなので、係合状態が不安定で、確実にボトルを支持できないという不都合があった。この不都合は、特に、前記フランジの水平方向への突出長が短い場合に顕著である。また、ボトルの首部が長い場合にも、フランジを支持するだけでは極めて不安定な支持状態となり、確実にボトルを支持できないという不都合があった。
本考案は、これらの問題を解決した飲料用ボトルの運搬器具を提供することを目的とする。
【課題を解決するための手段】
【０００６】
この目的を達成するため本考案の請求項１に係る飲料用ボトルの運搬器具は、飲料用ボトルの頭部及び首部が挿通可能で前記飲料用ボトルの首部の下部に係合して支持する係合部を複数有する下段係合部と、この下段係合部に上下方向に間隔をおいて設けられ、前記各係合部と上下に対応位置して飲料用ボトルの前記頭部に係合して支持する係合部を複数有する上段係合部と、この上段係合部から上方に延びる取手部とからなる。
【０００７】
また、本考案の請求項２に係る飲料用ボトルの運搬器具は、前記請求項１の構成において、前記下段係合部は、各係合部が係合孔とその周縁に円弧状あるいはリング状に配置された複数の係合片からなり、前記各係合部の上方にはそれぞれ前記各係合部と対向位置して飲料用ボトルの頭部及び首部が挿通する挿通孔を有する一方、上段係合部の各係合部は挿通孔とその周縁に設けた係合爪からなり、前記取手部は一対で形成されるものである。
【０００８】
さらに、本考案の請求項３に係る飲料用ボトルの運搬器具は、前記請求項２の構成において、前記下段係合部を破断して一面側を開口する切り用ミシン線を設けたものである。
【０００９】
またさらに、本考案の請求項４に係る飲料用ボトルの運搬器具は、前記請求項２または３の構成において、前記下段係合部と前記上段係合部と前記一対の取手部は一枚のシートに折り線を介して設けられ、前記折り線で折り曲げて形成されるものであり、前記下段係合部は、天壁と前壁と底壁とを備え、接続部前壁を介して前記上段係合部と接続され、接続部後壁を介して前記一対の取手部の一方と接続され、前記底壁には係合部を設け、前記天壁には挿通孔を設ける一方、前記上段係合部は前記一対の取手部の他方と接続され、前記一対の取手部にはそれぞれ把持用孔を設けたものである。
【考案の効果】
【００１０】
本考案の請求項１または２に係る飲料用ボトルの運搬器具によれば、上下２段の係合部が飲料用ボトルの頭部と首部にそれぞれ係合して、飲料用ボトルを支持するので、係合状態が安定し、確実にボトルを支持できるという効果を奏する。また、本考案の請求項３または４に係る飲料用ボトルの運搬器具によれば、下段係合部を破断して一面側を開口する切り用ミシン線を設けたので、前記効果に加えて、飲料用ボトルの取り出しが容易になるという効果を奏する。
【図面の簡単な説明】
【００１１】
【図１】本考案の一実施形態における展開状態を示す平面図。
【図２】同じくミシン線で二つ折りした状態を示す平面図。
【図３】同じく上下２段の係合部を形成した状態を示す拡大斜視図。
【図４】同じく上下２段の係合部に飲料用ボトルを支持した状態を示す拡大断面図。
【図５】同じく切り取りミシン目の破断状態を示す部分拡大背面図。
【図６】本考案の他の実施形態における展開状態を示す平面図。
【図７】同じく上下２段の係合部を形成した状態を示す拡大斜視図。
【図８】同じく上下２段の係合部に飲料用ボトルを支持した状態を示す拡大断面図。
【考案を実施するための形態】
【００１２】
まず、本考案の好適な一実施形態を添付図面の図１〜図５に基づいて詳細に説明する。
図１〜図３に示すように、飲料用ボトル１００（図４、図５参照）の運搬器具１は、両面をポリピロピレンで被覆加工された一枚のシート３１を折り曲げて形成される。図１に示すように、このシート３１は、両端部に一対の取手部２，３を有している。前記一方の取手部２に山折り線４を境にして上段係合部５が連接され、この上段係合部５に谷折り線６を境にして接続部前壁７が連接されている。
【００１３】
また、接続部前壁７に谷折り線８を境にして下段係合部天壁９が連接され、この下段係合部天壁９に山折り線１０を境にして下段係合部前壁１１が連接されている。前記下段係合部前壁１１には、山折り線１２を境にして下段係合部底壁１３が連接され、この下段係合部底壁１３に山折り線１４を境にして接続部後壁１５が連接されている。そして、この接続部後壁１５に山折り線１６を境にして他方の取手部３が連接されている。
【００１４】
図１に示すように、下段係合部底壁１３には飲料用ボトル１００の頭部及び首部１０１を挿通するための３つの係合孔１７ａ，１７ｂ，１７ｃを設け、これら各係合孔１７ａ，１７ｂ，１７ｃは、山折り線１４側を除いて中心に向けて延びるほぼ台形状で円弧状に配置された、首部１０１に係合して支持するための６枚の係合片１８ａ，１８ｂ，１８ｃをそれぞれ備えている。前記各係合孔１７ａ，１７ｂ，１７ｃと前記各係合片１８ａ，１８ｂ，１８ｃで下段係合部の係合部を構成する。これら各係合孔１７ａ，１７ｂ，１７ｃの係合片１８ａ，１８ｂ，１８ｃが存在しない部分に対応して、山折り線１４に向けて延びる各一対のスリット１９ａ，１９ａ，１９ｂ，１９ｂ，１９ｃ，１９ｃにより摘まみ片２０ａ，２０ｂ，２０ｃを形成している。
【００１５】
接続部後壁１５には、各一対のスリット１９ａ，１９ａ，１９ｂ，１９ｂ，１９ｃ，１９ｃから連続する各一対の切り用ミシン線２１ａ，２１ａ，２１ｂ，２１ｂ，２１ｃ，２１ｃが山折り線１６に達するように設けられている。そして、取手部３には、前記各一対の切り用ミシン線２１ａ，２１ａ，２１ｂ，２１ｂ，２１ｃ，２１ｃから連続するようにスリット２２ａ，２２ｂ，２２ｃが設けられて、上部除去部２３ａ，２３ｂ，２３ｃを形成している。各摘まみ片２０ａ，２０ｂ，２０ｃと、これらに連接する各一対の切り用ミシン線２１ａ，２１ａ，２１ｂ，２１ｂ，２１ｃ，２１ｃに挟まれた長方形状部分と、これら各長方形状部分に連接する前記各上部除去部２３ａ，２３ｂ，２３ｃが帯状に除去される部分である。
【００１６】
一方、下段係合部天壁９には各係合孔１７ａ，１７ｂ，１７ｃと上下に対応する位置（図３参照）に、飲料用ボトル１００の頭部及び首部１０１が挿通して前記首部１０１に対応位置する首部挿通孔２４ａ，２４ｂ，２４ｃを設け、上段係合部５には前記各首部挿通孔２４ａ，２４ｂ，２４ｃと各長方形状の連通孔２５ａ，２５ｂ，２５ｃを介して連続する飲料用ボトル１００の頭部を挿通するための頭部挿通孔２６ａ，２６ｂ，２６ｃを設けている。これら各頭部挿通孔２６ａ，２６ｂ，２６ｃには、その周縁から中心部に向けて突出して飲料用ボトル１００の頭部の一部である蓋体１０２に係合する係合爪２７ａ，２７ｂ，２７ｃを３つずつ設けている。前記各頭部挿通孔２６ａ，２６ｂ，２６ｃと前記各係合爪２７ａ，２７ｂ，２７ｃによって上段係合部の係合部を構成する。
【００１７】
また、一対の取手部２，３には、運搬器具１を作成した時に、互いに対応位置するように把持用孔２８，２９を設けている。そして、把持用孔２８，２９の上端縁には、把持するときに上方に折り返して指との接触部分を増して握りやすくするための補助片２８ａ，２９ａを設けている。
【００１８】
なお、下段係合部前壁１１、接続部後壁１５及び各取手部２，３の表出面には、広告宣伝文や運搬器具１の使用方法などの適宜な情報を表示したり、装飾や広告宣伝用の写真や絵柄を表示することができる。
【００１９】
次に、上述した運搬器具１に支持して運搬する飲料用ボトル１００について説明する。図４、図５に示すように、飲料用ボトル１００はガラス製で、従来公知のものである。この飲料用ボトル１００の首部１０１の上は頭部となり、この頭部は、図示していない雄ネジに螺合する図示していない雌ネジを内周面に有する蓋体１０２を備えている。この蓋体１０２も頭部の一部を構成する。
【００２０】
本実施形態は以上のように構成したので、図２に示すように、山折り線１２で二つ折りして、扁平状態にすることができるため、場所をとらずに保管できる。そして、この二つ折りした扁平状態にする際に、接続部前壁７が接続部後壁１５の対応する部分に接着される。一方、使用にあたっては、前記扁平な保管状態から、図３に示すように、各山折り線１０，１２，１４で山折りするとともに、谷折り線８で谷折りして、側部形状ロ字状の下段係合部を形成し、また、谷折り線６で谷折りして上段係合部５をほぼ水平に形成する。これによって、使用可能状態の運搬器具１となる。
【００２１】
続いて、運搬器具１に対して飲料用ボトル１００を、その蓋体１０２が適宜な係合孔、例えば係合孔１７ｂに対応位置するようにして、前記蓋体１０２及び首部１０１が前記係合孔１７ｂから対応する首部挿通孔２４ｂを挿通して、前記首部１０１の上部が下段係合部から突出するように、下段係合部底壁１３及び下段係合部天壁９を順次上から押し込む。この押し込み動作にともなって、各係合片１８ｂが上方に立ち上がり、それぞれの各先端部が首部１０１の下部と係合することで、前記首部１０１が下段係合部に係合支持される。
【００２２】
次いで、飲料用ボトル１００の蓋体１０２に対して上段係合部５の頭部挿通孔２６ｂを対応位置させて、上部係合部５を上から押し込み、蓋本１０２が前記頭部挿通孔２６ｂを挿通し、前記蓋体１０２の下端面に各係合爪２７ｂの先端を係合することで、前記蓋体１０２が上段係合部に係合支持される。このようにして、図４に示すように、前記飲料用ボトル１００を運搬器具１に支持する。
【００２３】
以上の動作を繰り返すことによって、下段係合部の残りの係合孔１７ａ，１７ｃの各係合片１８ａ，１８ｃ及び上段係合部５の残りの頭部挿通孔２６ａ，２６ｃの各係合爪２７ａ，２７ｃに、それぞれ新たな飲料用ボトル１００の首部１０１及び蓋体１０２の下端面を係合支持し、３本の飲料用ボトル１００を運搬器具１に支持することができる。
【００２４】
一方、この図４に示す支持状態から飲料用ボトル１００を取り外すには、摘まみ片２０ａを摘まんで上方に引き上げ、一対の切り用ミシン線２１ａ，２１ａを破断して、接続部後壁１５の前記一対の切り用ミシン線２１ａ，２１ａに挟まれた長方形状部分と、これら各長方形状部分に連接する上部除去部２３ａからなる帯状部分を除去して開口状態にする。このとき、飲料用ボトル１００の蓋体１０２は前記除去された上部除去部２３ａ部分に対応位置し、同首部１０１は前記除去された長方形状部分に対応位置しているので、図５に示すように、開口部分から前記蓋体１０２と首部１０１は露出する状態となる。したがって、飲料用ボトル１００を開口部分方向に引き出すことで、各飲料用ボトル１００を運搬器具１から容易に取り外すことができる。
【００２５】
続いて、本考案に係る他の実施形態を図６〜図８に基づいて説明する。
図６及び図７に示すように、飲料用ボトル１００（図４、図５参照）の運搬器具５１は、両面をポリピロピレンで被覆加工された一枚のシート６１を折り曲げて形成される。図６に示すように、このシート６１は、一端部に一対の取手部６２，６３が山折り線６４を介して連接され、各取手部６２，６３には、運搬器具５１を作成した時に、互いに対応位置するように把持用孔６５，６６を設けている。そして、前記把持用孔６５の上端縁には、把持するときに上方に折り返して指との接触部分を増して握りやすくするための補助片６５ａを設けている。また、前記各取手部６２，６３の各把持用孔６５，６６を挟んで山折り線６４と反対側には、間隔を置いてそれぞれ谷折り線６７，６９及び山折り線６８，７０を設けている。そして、前記山折り線６８より端部側の部分は糊代７１を構成する。
【００２６】
一方の取手部６３に山折り線７２を境にして上段係合部７３が連接され、この上段係合部７３に谷折り線７４を境にして接続部前壁７５が連接されている。前記接続部前壁７５に谷折り線７６を境にして下段係合部天壁７７が連接され、この下段係合部天壁７７に切り用ミシン線７８を境にして下段係合部前壁７９が連接されている。前記下段係合部前壁７９には、切り用ミシン線８０を境にして下段係合部底壁８１が連接され、この下段係合部底壁８１に山折り線８２を境にして接続部後壁８３が連接されている。そして、この接続部後壁８３に取手部６２の糊代７１が接着されるものである。なお、前記一対の切り用ミシン線７８，８０は、破断開始端７９ａ側の端部がそれぞれ内側に向けて斜めに延びている。
【００２７】
図６に示すように、下段係合部底壁８１には飲料用ボトル１００の頭部及び首部１０１を挿通するための４つの係合孔８４ａ，８４ｂ，８４ｃ，８４ｄを設け、これら各係合孔８４ａ，８４ｂ，８４ｃ，８４ｄは、中心に向けて延びるほぼ台形状でリング状に配置された、首部１０１に係合して支持するための８枚の係合片８５ａ，８５ｂ，８５ｃ，８５ｄをそれぞれ備えている。前記各係合孔８４ａ，８４ｂ，８４ｃ，８４ｄと前記各係合片８５ａ，８５ｂ，８５ｃ，８５ｄによって下段係合部の係合部を構成する。これら各係合孔８４ａ，８４ｂ，８４ｃ，８４ｄに向けて、切り用ミシン線８０から延びるスリット８６ａ，８６ｂ，８６ｃ，８６ｄが形成されている。
【００２８】
下段係合部天壁７７には、各係合孔８４ａ，８４ｂ，８４ｃ，８４ｄと上下に対応する位置に、飲料用ボトル１００の頭部及び首部１０１が挿通して前記首部１０１に対応位置する首部挿通孔８７ａ，８７ｂ，８７ｃ，８７ｄを設け、これら各首部挿通孔８７ａ，８７ｂ，８７ｃ，８７ｄに向けて、切り用ミシン線７８から延びるスリット８８ａ，８８ｂ，８８ｃ，８８ｄが形成されている。
【００２９】
上段係合部７３には前記各首部挿通孔８７ａ，８７ｂ，８７ｃ，８７ｄと対応する位置に飲料用ボトル１００の蓋体１０２を備えた頭部を挿通するための頭部挿通孔８９ａ，８９ｂ，８９ｃ，８９ｄを設けている。これら各頭部挿通孔８９ａ，８９ｂ，８９ｃ，８９ｄには、その周縁から中心部に向けて突出して飲料用ボトル１００の蓋体１０２に係合する係合爪９０ａ，９０ｂ，９０ｃ，９０ｄを４つずつ設けている。前記各頭部挿通孔８９ａ，８９ｂ，８９ｃ，８９ｄと前記各係合爪９０ａ，９０ｂ，９０ｃ，９０ｄによって上段係合部７３の係合部を構成する。
【００３０】
なお、下段係合部前壁７９、接続部後壁８３、接続部前壁７５及び各取手部６２，６３の表出面には、広告宣伝文や運搬器具５１の使用方法などの適宜な情報を表示したり、装飾や広告宣伝用の写真や絵柄を表示することができる。
【００３１】
上述した運搬器具５１に支持して運搬する飲料用ボトル１００は、第１の実施形態の運搬器具１に支持する飲料用ボトル１００と同一構成であるので、その説明は省略する。
【００３２】
本実施形態は以上のように構成したので、谷折り線７４を山折りして二つ折りして、扁平状態にすることができるため、場所をとらずに保管できる。そして、この二つ折りした扁平状態にする際に、接続部前壁７５と糊代７１がそれぞれ接続部後壁８３の対応する部分に接着される。一方、使用にあたっては、前記保管状態から、図７に示すように、山折り線６４で山折りし、谷折り線６７，６９で谷折りし、山折り線６８，７０で山折りして、一対の取手部６２，６３を形成し、次いで、山折り線７２で山折りして上段係合部７３をほぼ水平に形成する。さらに、谷折り線７４，７６で谷折りし、切り用ミシン線７８，８０及び山折り線８２で山折りして、側部形状ロ字状の下段係合部を形成する。
【００３３】
続いて、図８に示すように、飲料用ボトル１００を、その蓋体１０２が適宜な係合孔、例えば係合孔８４ｂに対応位置するようにして、蓋体１０２及び首部１０１が前記係合孔８４ｂから対応する首部挿通孔８７ｂを挿通して、前記首部１０１の上部が下段係合部から突出するように、下段係合部底壁８１及び下段係合部天壁７７を順次上から押し込む。この押し込み動作にともなって、各係合片８５ｂが上方に立ち上がり、各先端部が首部１０１の下部と係合することで、前記首部１０１が下段係合部に係合支持される。
【００３４】
次いで、飲料用ボトル１００の蓋体１０２に対して上段係合部の頭部挿通孔８９ｂを対応位置させて、上段係合部７３を上から押し込み、蓋体１０２が前記頭部挿通孔８９ｂを挿通し、前記蓋体１０２の下端面に各係合爪９０ｂの先端を係合することで、前記蓋体１０２が上段係合部７３に係合支持される。このようにして、図８に示すように、前記飲料用ボトル１００を運搬器具５１に支持する。
【００３５】
以上の動作を繰り返すことによって、下段係合部の残りの係合孔８４ａ，８４ｃ、８４ｄの各係合片８５ａ，８５ｃ，８５ｄ及び上段係合部７３の残りの頭部挿通孔８９ａ，８９ｃ，８９ｄの各係合爪９０ａ，９０ｃ，９０ｄに、それぞれ新たな飲料用ボトル１００の首部１０１及び蓋体１０２の下端面を係合支持し、４本の飲料用ボトル１００を運搬器具５１に支持することができる。
【００３６】
一方、この図８に示す支持状態から飲料用ボトル１００を取り外すには、下段係合部前壁７９の係合孔８４ｄ側端部である破断開始端７９ａを摘まんで引き上げ、一対の切り用ミシン線７８，８０を破断して、下段係合部前壁７９を除去して開口状態にする。このとき、各スリット８６ａ，８６ｂ，８６ｃ，８６ｄ，８８ａ，８８ｂ，８８ｃ，８８ｄは前記開口部分に対応位置しているので、頭部捜通孔８９ａ，８９ｂ，８９ｃ，８９ｄから飲料用ボトル１００の蓋体１０２を設けた頭部を引き出した後、飲料用ボトル１００を開口部分方向に引き出すことで、各飲料用ボトル１００を運搬器具５１から取り外すことができる。
【００３７】
また、運搬器具５１形成後の保管時や飲料用ボトル１００を保持した店頭陳列時に、谷折り線６７，６９で取手部６２，６３を折り曲げることによって、上下方向の占有面積を小さくできる。
【００３８】
なお、本考案は上述した各実施形態に限定されるものではなく、例えば、支持する飲料用ボトル１００の数は３個あるいは４個に限らず、したがって係合孔１７ａ，１７ｂ，１７ｃ，８４ａ，８４ｂ，８４ｃ，８４ｄや首部挿通孔２４ａ，２４ｂ，２４ｃ，８７ａ，８７ｂ，８７ｃ，８７ｄや頭部挿通孔２６ａ，２６ｂ，２６ｃ，８９ａ，８９ｂ，８９ｃ，８９ｄ及び係合爪２７ａ，２７ｂ，２７ｃ，９０ａ，９０ｂ，９０ｃ，９０ｄの数も上述したものに限らない。また、補助片２８ａ，２９ａ，６５ａは設けなくてもよい。
【００３９】
さらに、切り用ミシン線２１ａ，２１ｂ，２１ｃ，７８，８０は必ずしも設ける必要はなく、この場合は各係合爪２７ａ，２７ｂ，２７ｃ，９０ａ，９０ｂ，９０ｃ，９０ｄを下方に押し下げ、各係合片１８ａ，１８ｂ，１８ｃ，８５ａ，８５ｂ，８５ｃ，８５ｄを外側に押し開いて、蓋体１０２下面及び首部１０１との係合状態を解除して、飲料用ボトル１００を運搬器具１，５１から取り外すものである。一方、第２の実施形態において、各山折り線７０，７２を、切り用ミシン線７８，８０と同一構成の切り用ミシン線で構成し、蓋体１０２に対応する前面を開口可能にしてもよい。
【符号の説明】
【００４０】
１，５１      運搬器具
２，３，６２，６３      取手部
４，１０，１２，１４，１６，６４，６８，７０，７２，８２      山折り線
５，７３      上段係合部
６，８，６７，６９，７４，７６      谷折り線
７，７５      接続部前壁
９，７７      下段係合部天壁
１１，７９      下段係合部前壁
１３，８１      下段係合部底壁
１５，８３      接続部後壁
１７ａ，１７ｂ，１７ｃ，８４ａ，８４ｂ，８４ｃ，８４ｄ      係合孔
１８ａ，１８ｂ，１８ｃ，８５ａ，８５ｂ，８５ｃ，８５ｄ      係合片
１９ａ，１９ｂ，１９ｃ，２２ａ，２２ｂ，２２ｃ，８６ａ，８６ｂ，８６ｃ，８６ｄ，８８ａ，８８ｂ，８８ｃ，８８ｄ      スリット
２０ａ，２０ｂ，２０ｃ      摘まみ片
２１ａ，２１ｂ，２１ｃ，７８，８０      切り用ミシン線
２３ａ，２３ｂ，２３ｃ      上部除去部
２４ａ，２４ｂ，２４ｃ，８７ａ，８７ｂ，８７ｃ，８７ｄ      首部挿通孔
２５ａ，２５ｂ，２５ｃ      連通孔
２６ａ，２６ｂ，２６ｃ，８９ａ，８９ｂ，８９ｃ，８９ｄ      頭部挿通孔
２７ａ，２７ｂ，２７ｃ，９０ａ，９０ｂ，９０ｃ，９０ｄ      係合爪
２８，２９，６５，６６      把持用孔
２８ａ，２９ａ，６５ａ      補助片
３１，６１      シート
７１      糊代
１００      飲料用ボトル
１０１      首部
１０２      蓋体
【図１】
0003192852.tif 000003
【図２】
0003192852.tif 000004
【図３】
0003192852.tif 000005
【図４】
0003192852.tif 000006
【図５】
0003192852.tif 000007
【図６】
0003192852.tif 000008
【図７】
0003192852.tif 000009
【図８】
0003192852.tif 000010